(57)【特許請求の範囲】
【請求項１】
棒状化粧料を上下昇降自在に収納する棒状化粧料収納容器であって、
該棒状化粧料収納容器は、棒状化粧料が充填されるとともに該充填された棒状化粧料を保持する上下昇降自在な円筒状の中皿を備え、
該中皿の円筒部に棒状化粧料の抜止めをするための抜止め体を起立状に形成するにあたり、
該抜止め体は、
中皿の円筒部の上端部から該円筒部の周回り方向に所定の間隔を存して立設される一対の脚部と、該一対の脚部の上端部同士を跨状に連結する連結部とにより環帯状に形成されるとともに、
該環帯状の抜止め体を、平面視において中皿の円筒部の円弧面に対してオーバーラップし、且つ、中皿に充填された棒状化粧料が抜止め体の環内側に入り込む構成にして、
前記棒状化粧料に中皿から抜け出る方向の力が働いたときに抜止め体の環内側の棒状化粧料が連結部を上方に押すことにより抜止め体が上方向に弾性変形しつつ軸心側に向く変形をして棒状化粧料の抜け防止をするように構成したことを特徴とする棒状化粧料収納容器。
【請求項２】
上方向に弾性変形した抜止め体の復元力が棒状化粧料を引き戻す方向に働くものであることを特徴とする請求項１記載の棒状化粧料収納容器。
【請求項３】
抜止め体は、中皿の筒周部に沿って所定間隔を存して複数設けられていることを特徴とする請求項１または２の何れか１項記載の棒状化粧料収納容器。
【請求項４】
抜止め体は、少なくとも連結部の上端部が隙間を存する状態で多重状に形成されていることを特徴とする請求項１乃至３の何れか１記載の棒状化粧料収納容器。
【請求項５】
抜止め体は、少なくとも脚部の一部が連結部よりも細く形成されていることを特徴とする請求項１乃至４の何れか１項記載の棒状化粧料収納容器。
【発明の詳細な説明】
【技術分野】
【０００１】
本発明は、口紅、ファンデーション、アイブロー等の棒状化粧料を収納するための棒状化粧料収納容器に関する。
【背景技術】
【０００２】
一般に、棒状の口紅やファンデーション等が収納される棒状化粧料収納容器にあっては、該棒状化粧料収納容器を、筒周面に螺旋溝が穿設された螺旋筒と、筒周面に縦孔が形成されたガイド筒と、これら螺旋溝および縦孔に重合状に係合する係合突起が外周面に形成された中皿とで構成し、該螺旋筒とガイド筒との相対回動によって前記係合突起が螺旋溝と縦孔とに昇降案内されることで中皿が容器内縦軸方向に昇降移動するよう構成されている。
そして、前記昇降移動する中皿に棒状化粧料が保持されることになるが、該保持される化粧料が中皿から抜け出てしまうことがあり、そこで化粧料が抜け出ることのないよう種々の方策が講じられている。このようなものとして、例えば特許文献１に開示されるもののように、中皿の周面部に上端まで至る縦軸方向のスリットを複数形成する一方、該スリットで挟まれた周面部の内側面に、内径方向に向けて突出する突起を形成して化粧料の抜け出し防止をするようにしたものや、特許文献２に開示されるもののように、中皿の周面部に形成される上端まで至る縦軸方向のスリットの互いに対向する側縁部に凹凸状部を形成して化粧料の抜け出しを防止するようにしたもの等が知られている。
【先行技術文献】
【特許文献】
【０００３】
【特許文献１】実開昭５７−１７６８１５号公報
【特許文献２】実開昭６０−６７７２５号公報
【発明の概要】
【発明が解決しようとする課題】
【０００４】
ところで、これらの特許文献のものは、金型にとっては突起や凹凸状部がアンダーカット状態となるため一つの金型で内外周面を形成した場合は無理抜きとなって脱型することができず、そこで例えば、中皿の内周面と外周面とを形成するための金型を別のものとし、最初に外周面を形成するための金型を脱型し、しかる後内周面を形成するための金型を脱型するようにして内側金型の脱型時に中皿周面部が外側に変形するよう誘引し、アンダーカット状態のものであっても型抜きができるように構成している。しかしながらこれらのものは、中皿に保持されている化粧料に上方向に引き抜く力が働いた場合には、スリットが形成されていることによって中皿周面部が外方に拡開することになり、この結果突起や凹凸状部の化粧料に対する内外方向の嵌入量が浅くなってしまって、化粧料に対する抜け出し防止の効果が低下してしまうという問題があり、ここに本発明が解決せんとする課題がある。
【課題を解決するための手段】
【０００５】
本発明は、上記の課題を解決するため鋭意創作されたものであって、請求項１の発明は、棒状化粧料を上下昇降自在に収納する棒状化粧料収納容器であって、該棒状化粧料収納容器は、棒状化粧料が充填されるとともに該充填された棒状化粧料を保持する上下昇降自在な円筒状の中皿を備え、該中皿の円筒部に棒状化粧料の抜止めをするための抜止め体を起立状に形成するにあたり、該抜止め体は、中皿の円筒部の上端部から該円筒部の周回り方向に所定の間隔を存して立設される一対の脚部と、該一対の脚部の上端部同士を跨状に連結する連結部とにより環帯状に形成されるとともに、該環帯状の抜止め体を、平面視において中皿の円筒部の円弧面に対してオーバーラップし、且つ、中皿に充填された棒状化粧料が抜止め体の環内側に入り込む構成にして、前記棒状化粧料に中皿から抜け出る方向の力が働いたときに抜止め体の環内側の棒状化粧料が連結部を上方に押すことにより抜止め体が上方向に弾性変形しつつ軸心側に向く変形をして棒状化粧料の抜け防止をするように構成したことを特徴とする棒状化粧料収納容器である。
請求項２の発明は、上方向に弾性変形した抜止め体の復元力が棒状化粧料を引き戻す方向に働くものであることを特徴とする請求項１記載の棒状化粧料収納容器である。
請求項３の発明は、抜止め体は、中皿の筒周部に沿って所定間隔を存して複数設けられていることを特徴とする請求項１または２の何れか１項記載の棒状化粧料収納容器である。
請求項４の発明は、抜止め体は、少なくとも連結部の上端部が隙間を存する状態で多重状に形成されていることを特徴とする請求項１乃至３の何れか１記載の棒状化粧料収納容器である。
請求項５の発明は、抜止め体は、少なくとも脚部の一部が連結部よりも細く形成されていることを特徴とする請求項１乃至４の何れか１項記載の棒状化粧料収納容器である。
【発明の効果】
【０００６】
請求項１の発明とすることにより、棒状化粧料に抜け出る方向の力が働くと、抜止め体は上方向に引張られることになり、これによって該抜止め体は、一対の脚部の両下端部を支点として棒状化粧料の軸心側に向けて変形することになって棒状化粧料の抜け出しが防止される。従って本発明が実施された棒状化粧料収納容器によれば、棒状化粧料に抜け出る方向の力が働いたとき、スリットが形成された従来の中皿のように、化粧料の抜け出ようとする動きに対して筒周部が外径方向に開いて突起や凹凸状部の化粧料への嵌入量が浅くなってしまうようなことがなく、高い抜止め効果を発揮することになる。
請求項２の発明とすることにより、抜止め体は、上方を向いた引張力が働くと上方向に弾性変形をしつつ軸心側に向けて変形して抜止めをし、そして引張力がなくなると復元力が発生して棒状化粧料を元姿勢に戻そうとすることになって、一層抜け止め効果の高い棒状化粧料収納容器とすることが出来る。
請求項３の発明とすることにより、抜止め体は、抜け出る方向の力が働く棒状化粧料に対して筒周部の複数箇所から軸心側に向く変形をして抜け防止をすることになって、一層抜け止め効果の高い棒状化粧料収納容器とすることが出来る。
請求項４の発明とすることにより、抜止め体は、状況に応じて適切な形状の貫通窓が形成されたものとすることが出来る。
請求項５の発明とすることにより、抜止め体は、多重状となった連結部上端部のそれぞれが軸心側に向けて変形をすることになって、一層抜け止め効果の高い棒状化粧料収納容器とすることが出来る。
請求項６の発明とすることにより、抜止め体は、脚部の下端部からの弾性変形によってより軸心側に向けて変形し易くなり、一層抜け止め効果の高い抜止め体とすることが出来る。
【図面の簡単な説明】
【０００７】
【図１】本発明の第一の実施の形態における棒状化粧料収納容器の縦断面図である。
【図２】（Ａ）、（Ｂ）は、それぞれ第一の実施の形態における中皿体が最下端位置、最上端位置に位置した状態を示す縦断面図である。
【図３】（Ａ）、（Ｂ）は、それぞれ本発明の第一の実施の形態における中皿体の平面図および側面図である。
【図４】（Ａ）、（Ｂ）は、それぞれ図３の中皿体のＹ−Ｙ断面図およびＸ−Ｘ断面図である。
【図５】（Ａ）、（Ｂ）は、それぞれ抜止め体の変形前の状態、軸心方向に向く変形をした状態を示す説明図である。
【図６】本発明の第二の実施の形態における中皿体の側面部分断面図である。
【図７】（Ａ）〜（Ｃ）は、それぞれ本発明の第三〜第五の実施の形態における抜止め体の側面図である。
【図８】（Ａ）、（Ｂ）は、それぞれ本発明の第六、第七の実施の形態における抜止め体の側面図である。
【図９】本発明の第八の実施の形態における棒状化粧料収納容器の縦断面図である。
【発明を実施するための形態】
【０００８】
以下、本発明の実施の形態について、図面に基づいて詳細に説明する。
図面において、１は棒状化粧料容器であって、該棒状化粧料容器１は、有底円筒状の容器本体２と、該容器本体２の上半部を覆蓋する有天筒状のキャップ３とで構成される。
【０００９】
容器本体２は、下半部外側が有底筒状の袴筒４となっており、該袴筒４の内側には、内周面に螺旋溝５ａが刻設された円筒状の螺旋筒５が一体的に設けられている。螺旋筒５は、上部内周面側に円環状の凹部５ｂが形成されており、該凹部５ｂには、後述するガイド筒体８に形成される凸部８ａが摺動自在に嵌合するようになっている。また、袴筒４の上部内周面と螺旋筒５の上部外周面とのあいだには、円筒状の中具６が下半部を袴筒４と螺旋筒５とのあいだに圧入された状態で取付けられている。中具６の中央部には外径方向に突出する円環状の突起６ａが形成されており、該突起６ａの下面には袴筒４の上端４ａが当接した状態となって設けられるようになっている。また、中具６の下端６ｂが螺旋筒５の外周面に突出形成された係止突起５ｃに当接した状態で取付けられており、これらの構成によって、袴筒４、螺旋筒５、中具６、リング７は一体的に回動するようになっている。
【００１０】
一方、螺旋筒５の内周面側には、円筒状のガイド筒体８が設けられているが、該ガイド筒体８は、前述したように外周面に形成される円環状の凸部８ａが螺旋筒５の凹部５ｂに摺動自在に嵌合し、これによってガイド筒体８は螺旋筒５に対して回動自在かつ上下方向には移動規制された状態で内嵌している。
ガイド筒体８の下半部には縦軸方向に長い縦孔８ｂの一対が対向形成され、前記螺旋溝５ａと重合しあう部分には後述する係合突起９ａが摺動自在に係合するようになっている。
ガイド筒体８の上半部は円筒状の把持筒部８ｃとなっているが、該把持筒部８ｃは、化粧料容器１に組み付けられた状態で中具６の上端６ｃから上方向に突出する長さに形成されている。
【００１１】
ガイド筒体８の内周面側には、外側面に前述の係合突起９ａが一対対向形成された円筒状の昇降筒９が該ガイド筒８に対して摺動自在に設けられているが、該昇降筒９の上端部には、棒状化粧料Ｋが充填保持される中皿体１０が該昇降筒９の上端部に一体的に形成されている。そして、螺旋筒５とガイド筒体８とを相対回動させることによって、前記係合突起９ａは縦孔８ｂに回動規制された状態で螺旋溝５ａによって昇降案内されて昇降筒９が把持筒部８ｃの内周面８ｄ側を上下に昇降移動し、中皿体１０に充填保持される棒状化粧料Ｋを把持筒部８ｃの上端部８ｅから出没させるようになっている。
【００１２】
中皿体１０は、円形状の底面部１０ａと、該底面部１０ａの周縁から筒軸方向に立ち上がる円筒部１０ｂとで構成されている。そして円筒部１０ｂの筒周部上端１０ｃからは、棒状化粧料Ｋの抜止めをするための抜止め体１１の複数（本実施の形態では３つ）が該筒周部上端１０ｃの周回り方向に所定の間隙を存して起立状に形成されている。
【００１３】
抜止め体１１は、前記円筒部１０ｂの筒周部上端１０ｃから一対の脚部１１ｂ下端部１１ａが立設形成され、該一対の脚部１１ｂの上端部同士を跨ぐようにして連結部１１ｃが設けられている。そしてこれら一対の脚部１１ｂと連結部１１ｃとは、図３（Ｂ）に示されるように、筒周部上端１０ｃから立ち上がった円環帯状に形成されており、該円環帯状となった部分の内側には円筒部１０ｂの内外方向に貫通する貫通窓１１ｄが形成されている。そして脚部１１ｂの一対と連結部１１ｃとは、図３（Ａ）に示すように、平面視したときに円筒部１０ｂの円弧面とオーバーラップ（重合）する状態で円筒部１０ｂから上方向に起立形成されており、これによって、中皿体１０に棒状化粧料Ｋが充填保持された状態では、棒状化粧料Ｋは貫通窓１１ｄに入り込んだ状態となり、抜止め体１１の外周面が該棒状化粧料Ｋの外周面に沿う状態となるようになっている。
【００１４】
そして、該抜止め体１１は、本実施の形態では円筒部１０ｂの筒周部上端１０ｃに周回り方向１２０度ずつ位置ずれした状態で３つ配されているが、各抜止め体１１同士は隣接する脚部１１ｂとは所定の間隙を存して配されるようになっており、これによって抜止め体１１の軸心方向に向く変形が互いに妨げられないようになっている。
【００１５】
このようにして形成される中皿体１０には、底面部１０ａから円筒部１０ｂを経て、抜止め体１１を超える高さまで化粧料Ｋが棒状に充填形成されるが、このとき該棒状化粧料Ｋは、抜止め体１１部位では貫通窓１１ｄを塞いで脚部１１ｂおよび連結部１１ｃの外周面に面一状に沿って外周面が形成されるまで充填される。そして、このように充填された棒状化粧料Ｋに対して抜け出る方向の力が働いたとき、貫通窓１１ｄを塞いで充填された棒状化粧料Ｋが連結部１１ｃを上方向に押し出すことになり、すると抜止め体１１は、図５（Ａ）の状態から（Ｂ）の実線で示すように、一対の脚部１１ｂの下端部を支点として、上方向に弾性変形しつつ軸心側に向く変形をすることになって、よって棒状化粧料Ｋの抜け止めがなされるようになっている。
【００１６】
本実施の形態の昇降筒９は都合５つの金型で形成されている。つまり金型は、昇降筒９の内側面および下端縁を形成する上下方向に移動する下金型と、中皿体１０内側面および抜止め体１１の上側面を形成する上下方向に移動する上金型と、昇降筒９の外周面、中皿体１０の外周面および抜止め体１１の外面と貫通窓１１ｄとを形成するための３個の金型とからなるが、該３個の金型は、それぞれ周回り方向１２０度の周幅を存して隣接していて図３（Ａ）に示す三つのパーティングラインＰＬで型割れし、各貫通窓１１ｄの周回り方向中央位置において径方向に移動するように設定されている。
尚、本実施の形態では、昇降筒９の外周面、中皿体１０の外周面および抜止め体１１の外面と貫通窓１１ｄとを３個の金型で形成するものとしたが、これに限定されるものではなく、抜止め体１１の形状または数によっては、２個の金型で形成することも出来、また、４個以上の金型で形成することも出来る。
【００１７】
叙述の如く構成された本発明の実施の形態において、該充填された棒状化粧料Ｋに中皿体１０から抜け出る方向の力が働いた場合、貫通窓１１ｄを塞いで充填されている棒状化粧料Ｋにも上方向に向く力が働いて連結部１１ｃを上方向に押すことになって、抜止め体１１は、図５（Ａ）の状態から図５（Ｂ）の状態、即ち、下端部１１ａを支点として連結部１１ｃが上方向に弾性変形しつつ軸心側（内径側）に向く変形をすることになって、これによって抜け出る方向の力が働いている棒状化粧料Ｋの抜け出しを防止することが出来る。
従って、本発明の棒状化粧料収納容器１によれば、棒状化粧料Ｋに対して抜け出る方向の力が働いても、従来の中皿体のように筒周部が外径方向に拡開して、抜け防止のための突起や凹凸状部の化粧料に対する嵌入量が浅くなり、化粧料の抜け止め効果が低下してしまうという問題が発生しない。
【００１８】
尚、本発明は前述の第一の実施の形態に限定されるものではなく、昇降筒９に形成される中皿体は、図６に示す第二の実施の形態の中皿体１２のように底部位に化粧料を充填するための充填孔１２ａが形成されたものとし、該中皿体１２に本発明の抜止め体１１を設けて構成しても良い。
尚、第二以下の実施の形態において、第一の実施の形態と同じ構成のものは第一の実施の形態のものと同じ引き出し符号を付しており、詳細な説明については第一の実施の形態の記載を援用するものとする。
【００１９】
また、抜止め体は、抜け止め効果をより高いものとするために、図７（Ａ）〜（Ｃ）に示す以下の第三〜第五の実施の形態のもののように構成して実施することも出来る。
【００２０】
図７（Ａ）に示す第三の実施の形態における抜止め体１３は、第一の実施の形態と同様、筒周部上端１０ｃの周回り方向に３つ、所定の間隙を存して起立状に形成されており、筒周部上端１０ｃから立設する一対の脚部１３ａと、該一対の脚部１３ａの上端部同士を連結する連結部１３ｂとが形成され、これら一対の脚部１３ａおよび連結部１３ｂによって円筒部１０ｂの内外方向に貫通する円環状の貫通窓１３ｃが形成されている。そしてこれら一対の脚部１３ａと連結部１３ｂとが平面視で円筒部１０ｂの円弧面とオーバーラップ（重合）する状態で円筒部１０ｂから上方向に起立形成されており、これによって、中皿体１０に棒状化粧料Ｋが充填保持された状態では、棒状化粧料Ｋは貫通窓１３ｃに入り込んで抜止め体１３の外周面が該棒状化粧料Ｋの外周面に沿うようになっている。
【００２１】
各一対の脚部１３ａの下端部は、弾性変形し易いよう他の部位よりも細くなった弾性変形部１３ｄに形成されている。従って、抜止め体１３が棒状化粧料Ｋによって上方向に引張られると、該弾性変形部１３ｄは弾性変形して連結部１３ｂが一層軸心側に近づく変形をすることになり、棒状化粧料Ｋの抜け出しがより防止される。
尚、該弾性変形部１３ｄは、外金型の外径方向への型抜きを妨げない形状となっており、第一の実施の形態と同じ金型構成によって形成することが出来る。また、弾性変形部１３ｄの形成部位は、脚部１３ａの下端部に限定されるものではなく、脚部１３ａの全体に亘って形成されたものとしても良く、また、所定の間隔を存して複数個所に設けられたものとしても良い。
【００２２】
また、図７（Ｂ）に示す第四の実施の形態における抜止め体１４のように、弾性変形部１４ａを、一対の脚部１４ｂの下端部対向面に凹凸形状（例えば鋸歯状や波状）に形成したものとしても良い。このように弾性変形部１４ａを凹凸形状とすることで脚部１４ｂに弾性変形し易い部分が形成されることになって、棒状化粧料Ｋが上方向に抜け出ようとしたときに連結部１４ｃがより軸心に向けて変形し易くなり、一層棒状化粧料Ｋの抜け出しが防止される。
尚、このような弾性変形部１４ａは、脚部１４ｂの下端対向面１４ｄに形成されたものに限らず、外側面１４ｅに形成されたものとしてもよく、また、形成部位も脚部１４ｂの外側面１４ｅのみならず連結部１４ｃの外側面１４ｆにも形成されたものとして実施することも出来る。このように形成することによって、抜止め体１４を変形し易いものとすることが出来るだけでなく、抜け出そうとする棒状化粧料Ｋに対する抜け止め効果をより強化した抜止め体とすることが出来る。
【００２３】
さらにまた、図７（Ｃ）に示す第五の実施の形態における抜止め体１５のように、脚部１５ａおよび連結部１５ｂを多重状に形成しても実施することが出来る。第五の実施の形態における抜止め体１５は、筒周部上端１０ｃの周回り方向に３つ、所定の間隙を存して起立状に形成されるが、１つの抜止め体１５には一対の脚部１５ａが筒周部上端１０ｃから立設している。該一対の脚部１５ａはそれぞれが下端部で第一脚部１５ｃと第二脚部１５ｄとに分岐しており、該分岐によって一対の第二脚部１５ｄ同士は対向形成されており、一対の第一脚部１５ｃは前記一対の第二脚部１５ｄをあいだに挟んだ状態で対向形成されている。そして、一対の第二脚部１５ｄは第二連結部１５ｆによって跨状に連結され、一対の第一脚部１５ｃは第一連結部１５ｅによって跨状に連結されている。そして、これら一対の第一脚部１５ｃおよび第一連結部１５ｅによって円筒部１０ｂの内外方向に貫通する円環状の第一貫通窓１５ｇが形成され、該第一貫通窓１５ｇの内側に一対の第二脚部１５ｄおよび第二連結部１５ｆによって円環状の第二貫通窓１５ｈが形成されている。そしてこれら脚部１５ａ、第一脚部１５ｃ、第一連結部１５ｅ、第一貫通窓１５ｇ、第二脚部１５ｄ、第二連結部１５ｆ、第二貫通窓１５ｈは全て平面視で円筒部１０ｂの円弧面とオーバーラップするように起立形成される。
このように多重状となった抜止め体１５とすることにより、棒状化粧料Ｋに抜け出る方向の力が働いたとき、第一、第二各連結部１５ｅ、１５ｆはそれぞれが別個に軸側に向く変形をすることになり、これによって一層棒状化粧料Ｋの抜け出しが防止される。
【００２４】
また、抜止め体に形成される貫通窓は、図８（Ａ）に示す第六の実施の形態における抜止め体１６のように、脚部１６ａと連結部１６ｂとが冂字状に連結形成された貫通窓１６ｃとしても良く、図８（Ｂ）に示す第七の実施の形態における抜止め体１７のように、脚部１７ａと連結部１７ｂとで多角形状に形成される貫通窓１７ｃとしても良い。このように貫通窓の形状は適宜変更が可能であり、要は連結部が脚部同士を跨ぐように形成され、該脚部と連結部とが平面視で筒周部にオーバーラップする状態となり、該脚部と連結部とで形成される貫通窓に充填される棒状化粧料Ｋによって抜止め体が上方向に向く力を受けるよう構成されていれば良いのであって、貫通窓の形状は特に限定されないものである。
【００２５】
また、図９示す第七の実施の形態のように、棒状化粧料容器２１は、中皿体２２を、内側の内筒体２３と該内筒体２３に外嵌する外筒体２４とで構成して、棒状化粧料Ｋは内筒体２３および外筒体２４の両内周面に当接するようにして充填するものに構成しても良い。
【００２６】
第七の実施の形態における棒状化粧料収納容器２１は、棒状化粧料Ｋが昇降自在に充填される容器本体２５と該容器本体２５の上半部を覆蓋するキャップ２６とで構成される。
容器本体２５は、下方が有底円筒状で底面に化粧料充填用の充填孔２７ａが開口した袴筒２７となっており、該袴筒２７の内側には、袴筒２７と同様、有底円筒状で底面に化粧料充填のための充填孔２８ａが開口したホック筒２８が袴筒２７に内嵌している。該袴筒２７の内周面とホック筒２８の外周面とのあいだには中具２９の下半部が圧入されているが、該中具２９の下端部２９ａはホック筒２８に形成される段差部２８ｂに当接した状態となっている。そして、中具２９の上半部は、袴筒２７とホック筒２８のあいだから上方向に突出しており、これによって袴筒２７とともに、容器本体２の外側面を構成している。
ホック筒２８の内周面側にはガイド筒３０が設けられるが、ホック筒２８の内周面側に形成される筒軸方向に長い係合溝２８ｃと、ガイド筒３０の外周面に形成される筒軸方向に長い係合突条３０ａとの係合によってガイド筒３０とホック筒２８とは一体的に回動するようになっており、これらの構成によって袴筒２７、ホック筒２８、中具２９、ガイド筒３０は一体回動するようになっている。
【００２７】
ガイド筒３０は、周面部に縦長の縦孔３０ｂが一対対向して貫通形成される。そして、ガイド筒３０の上端部に外径方向に膨出して形成される膨出部３０ｃに上端部を突き当てた状態で、円筒状の螺旋筒３１がガイド筒３０に対して回動自在に外嵌するようになっている。
ガイド筒３０の外周面下端部には該ガイド筒３０と一体回動するリング３２が係止されており、該リング３２の上端３２ａは前記螺旋筒３１の下端３１ｂに摺動自在に当接している。
螺旋筒３１は、内周面部に螺旋溝３１ａが刻設されるとともに外周面には円筒状の把持筒３３が一体回動するように外嵌している。把持筒３３は前記中具２９の上端から突出した状態となって容器本体２５の外側面を構成しており、これによって把持筒３３と袴筒２７、中具２９とを相対回動させることによってガイド筒３０と螺旋筒３１とが相対回動するようになっている。
【００２８】
ガイド筒３０の内周面側には、円筒状の中皿体２２がガイド筒３０に対して摺動自在に設けられるが、該中皿体２２は、円筒状の内筒体２３と外筒体２４とが一体的に止着したものに構成されている。外筒体２４の外周面には一対の係合突起２４ａが対向形成されており、該係合突起２４ａが縦孔３０ｂおよび螺旋溝３
１ａに重合状に係合した状態で組み込まれる。そして、ガイド筒３０と螺旋筒３１とを相対回動させることで、係合突起２４ａが縦孔３０ｂおよび螺旋溝３１ａとによって昇降案内されて中皿体２２がガイド筒３０内を昇降移動するようになっている。
【００２９】
内筒体２３は、下端部が円筒部２３ａとなっており、該円筒部２３ａの筒周部上端２３ｂに抜止め体３４が設けられている。つまり、該円筒部２３ａの筒周部上端２３ｂからは、抜止め体３４の脚部３４ａの一対が下端部を周回り方向に所定の間隔を存して立設しており、該一対の脚部３４ａの上端部同士を跨ぐようにしてアーチ状の連結部３４ｂが形成されている。これら一対の脚部３４ａ、連結部３４ｂは円筒部２３ａの内外方向に貫通する貫通窓３４ｃを形成しており、これら一対の脚部３４ａと連結部３４ｂとは、平面視で円筒部２３ａの円弧面とオーバーラップする状態となるよう起立形成されている。
【００３０】
そして抜止め体３４は、円筒部２３ａの筒周部上端２３ｂに周回り方向１２０度ずつ位置ずれして３つ配されるが、隣接する抜止め体３４同士は、隣り合う脚部３４ａが互いに所定の間隙を存して配されるようになっており、これによって抜止め体３４の棒状化粧料Ｋに対する軸心方向に向く変形が互いに妨げられないようになっている。
【００３１】
そして、このようにして抜止め体３４が設けられる内筒体２３は、外筒体２４の内周面に形成される嵌合突部２４ｂが嵌合孔２３ｃに係合することで該外筒体２４の内周面側に一体的に内嵌取付けされるが、該取付けられた状態で抜止め体３４は中皿体２２の軸心方向に向く変形をすることが出来るようになっており、内筒体２３の下端位置から抜止め体３４を越える高さまで棒状化粧料Ｋが充填されることで貫通窓３４ｃ全体を塞ぐように棒状化粧料Ｋが充填されるようになっている。
【００３２】
このように中皿体２２を内筒体２３と外筒体２４の二体で構成することによって中皿体２２を軸方向に短かいものにすることが出来るが、このような所謂砲弾型口紅と称される短小な口紅容器に用いられる中皿体であっても本発明の抜止め体を設けることが出来る。
【００３３】
尚、本発明の実施の形態においては、中皿体の上端部に設けられる抜止め体は何れも円筒部１０ｂの筒周部上端１０ｃに周回り方向１２０度ずつ位置ずれした状態で３つ配した構成としたが、抜止め体の数および配設位置はこれに限定されるものではなく、例えば９０度ずつ位置ずれした状態で４つ配して構成しても良く、さらには５つ以上配して構成しても良いのであって、隣接する脚部同士が弾性変形可能な間隔を存して配されていれば抜止め体の数は特に限定されるものではない。また、例えば抜止め体の幅を周回り角度を９０度のものとした場合に、このものを１８０度対向する状態で一対設けたものとなるようにすることも出来る。これらの場合、抜止め体は、抜け出ようとする棒状化粧料に対して筒周部上端１０ｃから均等に抜け止め力が働くよう線対称状に配されることが好ましい。
【産業上の利用可能性】
【００３４】
本発明は、口紅、マニキュア、ファンデーション等の化粧料を収納するための棒状化粧料収納容器の分野に利用可能である。
【符号の説明】
【００３５】
１      棒状化粧料容器
９      中皿体
１０ｂ  円筒部
１０ｃ  筒周部上端
１１    抜止め体
１１ａ  下端部
１１ｂ  脚部
１１ｃ  連結部
【図１】
0005996885.tif 000002
【図２】
0005996885.tif 000003
【図３】
0005996885.tif 000004
【図４】
0005996885.tif 000005
【図５】
0005996885.tif 000006
【図６】
0005996885.tif 000007
【図７】
0005996885.tif 000008
【図８】
0005996885.tif 000009
【図９】
0005996885.tif 000010